(57)【特許請求の範囲】
【請求項１】
液晶表示パネルを構成する一対の基板のうち一方の基板の所定の辺部上に液晶駆動用の半導体チップが搭載され、前記一方の基板上に前記半導体チップの入力側接続電極及び出力側接続電極にそれぞれ接続された入力側配線及び出力側配線が設けられた液晶表示装置において、前記一方の基板上において前記入力側配線と前記出力側配線との配列部の中間位置であって、且つ、前記入力側配線及び前記出力側配線の近傍に静電気逃げ用パターン及び該静電気逃げ用パターンの鋭角とされた先端部が設けられていることを特徴とする液晶表示装置。
【請求項２】
請求項１記載の発明において、前記静電気逃げ用パターンは、前記入力側配線と前記出力側配線との間に設けられていることを特徴とする液晶表示装置。
【請求項３】
請求項１記載の発明において、前記静電気逃げ用パターンは、前記入力側配線と信号線に接続される前記出力側配線との間に設けられていることを特徴とする液晶表示装置。
【請求項４】
請求項１記載の発明において、前記静電気逃げ用パターンは、前記入力側接続電極に接続される入力側接続端子及び前記出力側接続電極に接続される出力側接続端子よりも前記半導体チップの中心側に延出されていることを特徴とする液晶表示装置。
【請求項５】
請求項１記載の発明において、前記静電気逃げ用パターンは、前記一方の基板上に設けられたダミーパターンに接続されていることを特徴とする液晶表示装置。
【請求項６】
請求項５記載の発明において、前記ダミーパターンは、前記一方の基板上においてシール材形成領域に設けられたセルギャップ調整パターンであることを特徴とする液晶表示装置。
【請求項７】
請求項５または６記載の発明において、前記ダミーパターンは、前記一対の基板のうち他方の基板に設けられた共通電極にクロス材を介して接続されていることを特徴とする液晶表示装置。
【発明の詳細な説明】
【０００１】
【発明の属する技術分野】
この発明は液晶表示装置に関する。
【０００２】
【従来の技術】
図３は従来のアクティブマトリクス型の液晶表示装置の一例の一部の平面図を示したものである。この液晶表示装置における液晶表示パネル１は、下ガラス基板２と上ガラス基板３とがほぼ枠状のシール材４を介して貼り合わされ、シール材４の内側における両基板２、３間に液晶（図示せず）が封入されたものからなっている。この場合、下ガラス基板２の図３における右辺部及び下辺部は上ガラス基板３から突出され、これらの突出部２ａ、２ｂの上面の各所定の箇所には液晶駆動用のＬＳＩ等からなる半導体チップ５、６が搭載されている。
【０００３】
下ガラス基板２の上面において二点鎖線で囲まれた表示領域７には、図示していないが、複数の走査線が行方向に延びて設けられていると共に、複数の信号線が列方向に延びて設けられている。前記半導体チップ５は複数の走査線に電圧を供給する走査線駆動用のものであり、前記半導体チップ６は複数の信号線に電圧を供給する信号線駆動用のものである。走査線の右端部は、下ガラス基板２の上面の所定の箇所に設けられた出力側配線８を介して右側の半導体チップ５の出力側接続電極（図示せず）に接続されている。信号線の下端部は、下ガラス基板２の上面の所定の箇所に設けられた出力側配線９を介して下側の半導体チップ６の出力側接続電極（図示せず）に接続されている。
【０００４】
下ガラス基板２の右辺部の下側の上面の所定の箇所にはフレキシブル配線基板１１の一端部が接続されている。そして、右側の半導体チップ５の入力側接続電極（図示せず）は、主として右側の突出部２ａの上面に設けられた入力側配線１２を介してフレキシブル配線基板１１の一端部の下面に設けられた接続端子（図示せず）に接続されている。下側の半導体チップ６の入力側接続電極（図示せず）は、主として下側の突出部２ｂの上面に設けられた入力側配線１３を介してフレキシブル配線基板１１の一端部の下面に設けられた接続端子（図示せず）に接続されている。
【０００５】
【発明が解決しようとする課題】
ところで、従来のこのような液晶表示装置では、例えば下側の半導体チップ６の右端部の上辺近傍において出力側配線９及び入力側配線１３が密集し、しかもこれらの配線９、１０の多くが極めて細いので、これらの配線９、１３が製造工程中や製造工程後において帯電した静電気の放電により破壊されてしまうことがあるという問題があった。
この発明の課題は、静電気の放電による配線の破壊が発生しにくいようにすることである。
【０００６】
【課題を解決するための手段】
この発明は、液晶表示パネルを構成する一対の基板のうち一方の基板の所定の辺部上に液晶駆動用の半導体チップが搭載され、前記一方の基板上に前記半導体チップの入力側接続電極及び出力側接続電極にそれぞれ接続された入力側配線及び出力側配線が設けられた液晶表示装置において、前記一方の基板上において前記入力側配線と前記出力側配線との配列部の中間位置であって、且つ、前記入力側配線及び前記出力側配線の近傍に静電気逃げ用パターン及び該静電気逃げ用パターンの鋭角とされた先端部が設けたものである。この発明によれば、一方の基板上において入力側配線と出力側配線との間であって、且つ、前記入力側配線と前記出力側配線のうち少なくとも一方の近傍に静電気逃げ用パターン及び該静電気逃げ用パターンの端部を設けているので、製造工程中や製造工程後に配線の近傍において発生した静電気を静電気逃げ用パターンを介して逃がすことができ、したがって静電気の放電による配線の破壊が発生しにくいようにすることができる。
【０００７】
【発明の実施の形態】
図１はこの発明の一実施形態における液晶表示装置の要部（図３に示す下ガラス基板２の上面において下側の半導体チップ６搭載領域の右端部及びその近傍に相当する部分）の平面図を示したものである。なお、説明の便宜上、図１において、図３と同一名称のものには同一の符号を付して説明することとする。
【０００８】
まず、図１において一点鎖線は、液晶表示パネル１の下ガラス基板２の上面において信号線駆動用の半導体チップ（図示せず）が搭載される領域２１を示す。この半導体チップ搭載領域２１内の右端部、上端部及び下端部の右側には、入力側配線１３の各一端部からなる入力側接続端子１３ａが多数配列されている。また、半導体チップ搭載領域２１内の上端部には、前記入力側配線１３から僅かに離間して出力側配線９の各一端部からなる出力側接続端子９ａが千鳥状に配列されている。
【０００９】
さらに、半導体チップ搭載領域２１内の上端部において入力側配線１３の配列部と出力側配線９の配列部との間には静電気逃げ用パターン２２が設けられている。静電気逃げ用パターン２２は棒状であり、その先端部は静電気を捕らえ易くするために鋭角部２２ａとなっており、この鋭角部２２ａが入力側接続端子１３ａと出力側接続端子９ａよりも下方になる位置に配置されている。静電気逃げ用パターン２２の他端部は、下ガラス基板２の上面の所定の箇所に設けられた引き回し線２３等を介して、図示していないが、図３を参照して説明すると、フレキシブル配線基板１１の接地線に接続されている。
【００１０】
すなわち、この液晶表示装置では、下ガラス基板２上の半導体チップ搭載領域２１内の上端部において入力側接続端子１３ａの配列部と出力側接続端子９ａの配列部との間に静電気逃げ用パターン２２を設けている。このため、製造工程中や製造工程後に、例えば、入力側配線１３が治工具や設備に接触してその電位が変動することにより、入力側配線１３及び出力側配線９に蓄積されていた静電気が放出されたとしても、前記静電気逃げ用パターン２２が避雷針の機能を果たして静電気を吸収するため、出力側配線９及び入力側配線１３あるいは、出力側配線９の一端部である出力側接続端子９ａ及び入力側配線１３の一端部である入力側接続端子１３ａの破壊が発生しにくいようにすることができる。
【００１１】
次に、図２はこの発明の他の実施形態における液晶表示装置の要部の平面図を示したものである。この実施形態は、走査線駆動用の半導体チップ搭載領域の近傍の構成を示すものであるが、これに限らず、信号線駆動用の半導体チップ搭載領域に対しても適用可能である。なお、この場合も、説明の便宜上、図２において、図３と同一名称のものには同一の符号を付して説明することとする。
【００１２】
この場合、下ガラス基板２の上面においてシール材形成領域４ａの外側で入力側配線１２の近傍には棒状の静電気逃げ用パターン２４が設けられている。この場合も、静電気逃げ用パターン２４の先端部は静電気を捕らえ易くするために鋭角部２４ａとなっている。静電気逃げ用パターン２４の他端部は、シール材形成領域４ａの所定の箇所に設けられた櫛歯状のセルギャップ調整パターン２５に接続されている。ここで、セルギャップ調整パターンとは、シール材の下には各走査線に接続される出力側配線８が形成されているが、この出力側配線８の配列部の外側に何も配線を形成しない場合には、シール材の高さに配線の厚み分だけ差違が生じ、配線が形成される領域と形成されない領域とではセルギャップにばらつきが生じ、このセルギャップのばらつきを防止するため、本来、配線が必要とされない領域のシール材の下にも出力側配線８と同じ厚さのダミー配線を形成するが、このダミー配線のことを意味するものである。セルギャップ調整パターン２５の所定の部分は、シール材（図示せず）内に設けられたクロス材２６を介して、図示していないが、図３を参照して説明すると、上ガラス基板３の下面に設けられた共通電極（接地電位）に接続されている。
【００１３】
このように、この液晶表示装置では、下ガラス基板２の上面においてシール材形成領域４ａの外側で入力側配線１２の近傍に静電気逃げ用パターン２４を設けているので、製造工程中や製造工程後に、例えば図３に示す表示領域７の右下隅の右側の近傍であってシール材４の外側において発生した静電気を静電気逃げ用パターン２４を介して逃がすことができ、したがって静電気の放電による入力側配線１２の破壊が発生しにくいようにすることができる。
【００１４】
なお、静電気逃げ用パターンの配置位置は上記各実施形態に限定されるものではなく、例えば図３を参照して説明すると、入力側配線１２、１３及び出力側配線８、９の近傍であればどこでもよく、また配置数もいくつであってもよい。また、上記他の実施形態では、セルギャップ調整パターン２５をクロス材２６を介して上ガラス基板の共通電極に接続した場合について説明したが、これに限らず、上記一実施形態の場合と同様に、引き回し線を介してフレキシブル配線基板の接地線に接続するようにしてもよい。さらに、上記他の実施形態では、静電気逃げ用パターン２４をセルギャップ調整パターン２５に接続した場合について説明したが、これに限らず、他のダミーパターンに接続するようにしてもよい。
【００１５】
【発明の効果】
以上説明したように、この発明によれば、一方の基板上において入力側配線と出力側配線との配列部の中間位置であって、且つ、前記入力側配線及び前記出力側配線の近傍に静電気逃げ用パターン及び該静電気逃げ用パターンの鋭角とされた先端部が設けているので、製造工程中や製造工程後に配線の近傍において発生した静電気を静電気逃げ用パターンを介して逃がすことができ、したがって静電気の放電による配線の破壊が発生しにくいようにすることができる。
【図面の簡単な説明】
【図１】この発明の一実施形態における液晶表示装置の要部の平面図。
【図２】この発明の他の実施形態における液晶表示装置の要部の平面図。
【図３】従来の液晶表示装置の一例の一部の平面図。
【符号の説明】
１  液晶表示パネル
２  下ガラス基板
３  上ガラス基板
４  シール材
４ａ  シール材形成領域
５、６  半導体チップ
７  表示領域
８、９  出力側配線
１１  フレキシブル配線基板
１２、１３  入力側配線
２１  半導体チップ搭載領域
２２、２４  静電気逃げ用パターン
２３  引き回し線
２５  セルギャップ調整パターン
２６  クロス材
【図１】
0003800868.tif 000002
【図２】
0003800868.tif 000003
【図３】
0003800868.tif 000004